(57)【特許請求の範囲】
【請求項１】
車両の室内上側面に配置され、室内へ向けて展開可能なエアバッグ袋体を備えたカーテンシールドエアバッグと、
前記カーテンシールドエアバッグを被覆すると共に、開放移動時に前記エアバッグ袋体の展開を可能にする天井内張り材と、
通常は前記天井内張り材を所定位置に保持すると共に、前記カーテンシールドエアバッグ作動時に前記エアバッグ袋体の膨張に伴って前記天井内張り材の前記保持を解除する仮止め手段と、
前記カーテンシールドエアバッグ作動時に前記エアバッグ袋体の膨張によって、前記仮止め手段による前記保持の解除を補助する解除補助手段と、
を備え、
前記仮止め手段は、車体に取り付けられた金属クリップと、前記天井内張り材に取り付けられ前記金属クリップに嵌合係止する樹脂製の掛止め爪と、を有し、
前記解除補助手段は、一端が前記エアバッグ袋体に取り付けられ他端が前記金属クリップと掛止め爪との嵌合間に巻き込まれて係止された抜去布とされる、
ことを特徴とするカーテンシールドエアバッグ取付構造。
【発明の詳細な説明】
【技術分野】
【０００１】
本発明は、自動車等の車両に適用されるカーテンシールドエアバッグ取付構造に関する。
【背景技術】
【０００２】
自動車等の車両においては、近年、車両緊急時（特に、側面衝突時）の安全性向上のために、カーテンシールドエアバッグが設置されたものがある。この種のカーテンシールドエアバッグでは、室内上側面にエアバッグ袋体が展開可能に設けられており、車両緊急時には当該エアバッグ袋体が膨張展開して乗員（特に、頭部）を保護する。
【０００３】
ここで、エアバッグ袋体の膨張展開に際しては、通常はエアバッグ袋体を被覆している天井内張り材（ルーフヘッドライニング）の周縁部が、エアバッグ袋体の膨張圧力によって車室内側へ大きく押し開かれ、エアバッグ袋体が車室内に展開する構成となっている（例えば、特許文献１参照）。
【０００４】
しかしながら、このような従来のカーテンシールドエアバッグの取付構造では、前述の如きエアバッグ袋体の展開性能を確保するために、各取付部品の材料強度の設定や寸法調整が煩雑であるという問題があった。
【０００５】
すなわち、エアバッグ袋体は通常は室内上側面に展開可能に設けられると共に天井内張り材によって被覆されており、さらに、この天井内張り材はこれに取り付けられた樹脂製のクリップが、車体に取り付けられた金属クリップに嵌合係止することで所定位置に保持されている。エアバッグ袋体の展開時には、このエアバッグ袋体が自身の膨張圧力によって天井内張り材を撓ませて車室内側へ大きく押し開く構成となっている。したがって、天井内張り材を所定位置に保持固定する金属クリップ及び掛止め爪の性能としては、エアバッグ袋体のスムーズな展開性を確保する必要があるため「抜け易さ」が求められ、反面、通常時には天井内張り材を所定位置に確実に保持固定する必要があるため「抜け難さ」が求められる。すなわち、当該金属クリップ及び掛止め爪には、互いに相反する性能が要求されていた。
【０００６】
例えば、通常時に天井内張り材を所定位置に確実に保持固定するために金属クリップ及び掛止め爪を不要に高強度に設定すれば、エアバッグ袋体の展開性を悪化させる原因となり、一方、金属クリップ及び掛止め爪の抜け強度を不要に低く設定すれば、樹脂製の掛止め爪の割れや飛散が生じてこれを防止するための新たな対策（例えば、当該掛止め爪の周辺部位に不織布を張り付ける等）が必要となってしまう。
【０００７】
このように、従来では天井内張り材を保持固定するための金属クリップや掛止め爪及び関連する各部品の材料強度の設定や調整あるいはその寸法設定や調整が煩雑であり、これを解消できる手段が求められていた。
【０００８】
【特許文献１】特開２００１−５８５５５号公報
【発明の開示】
【発明が解決しようとする課題】
【０００９】
本発明は上記事実を考慮し、各取付部品の煩雑な材料強度の設定や寸法調整が不要であり、カーテンシールドエアバッグを被覆する天井内張り材を確実に保持すると共にエアバッグ袋体のスムーズな展開性能を確保するという互いに相反する要求を共に満足することができるカーテンシールドエアバッグ取付構造を得ることが目的である。
【課題を解決するための手段】
【００１０】
請求項１に係る発明のカーテンシールドエアバッグ取付構造は、車両の室内上側面に配置され、室内へ向けて展開可能なエアバッグ袋体を備えたカーテンシールドエアバッグと、
前記カーテンシールドエアバッグを被覆すると共に、開放移動時に前記エアバッグ袋体の展開を可能にする天井内張り材と、通常は前記天井内張り材を所定位置に保持すると共に、前記カーテンシールドエアバッグ作動時に前記エアバッグ袋体の膨張に伴って前記天井内張り材の前記保持を解除する仮止め手段と、前記カーテンシールドエアバッグ作動時に前記エアバッグ袋体の膨張によって、前記仮止め手段による前記保持の解除を補助する解除補助手段と、を備え、前記仮止め手段は、車体に取り付けられた金属クリップと、前記天井内張り材に取り付けられ前記金属クリップに嵌合係止する樹脂製の掛止め爪と、を有し、前記解除補助手段は、一端が前記エアバッグ袋体に取り付けられ他端が前記金属クリップと掛止め爪との嵌合間に巻き込まれて係止された抜去布とされる、ことを特徴としている。
【００１１】
請求項１記載のカーテンシールドエアバッグ取付構造では、通常は、エアバッグ袋体は室内上側面に展開可能に設けられると共に天井内張り材によって被覆されており、さらに、この天井内張り材は仮止め手段によって所定位置に保持されている。
【００１２】
エアバッグ袋体の展開時には、このエアバッグ袋体の膨張に伴って仮止め手段が天井内張り材の保持を解除して、天井内張り材の開放移動が可能になる。さらに、エアバッグ袋体の膨張によって天井内張り材が車室内側へ大きく押し開かれ開放移動されながら、エアバッグ袋体が車室内に展開する。
【００１３】
ここで、請求項１記載のカーテンシールドエアバッグ取付構造では、通常は天井内張り材を所定位置に保持固定する仮止め手段は、エアバッグ袋体の展開時にはこれに伴って天井内張り材の保持を解除するが、この際には、これに加えて、エアバッグ袋体の膨張によって解除補助手段が作動し、仮止め手段による天井内張り材の保持の解除を補助する。
【００１４】
すなわち、エアバッグ袋体の展開時には、解除補助手段によって、仮止め手段の保持解除動作が補助されて、天井内張り材の開放移動が容易になる。したがって、結果的にエアバッグ袋体がスムーズに展開する。
【００１５】
すなわち、仮止め手段には、通常時には天井内張り材を所定位置に確実に保持固定する大きな保持力（所謂「抜け難さ」）が求められ、しかも、エアバッグ袋体の展開時には速やかな保持解除性（所謂「抜け易さ」）が求められるが、この仮止め手段を、通常時に天井内張り材を確実に保持固定するように大きな保持力に（所謂「抜け難く」）設定しても、エアバッグ袋体の展開時には解除補助手段の作動によって仮止め手段の保持解除動作が補助され（所謂「抜け易さ」が向上し）、速やかに保持解除が行われる。したがって、天井内張り材の開放移動が容易になって、エアバッグ袋体のスムーズな展開性を確保することができる。
【００１６】
このように、請求項１記載のカーテンシールドエアバッグ取付構造では、各取付部品の煩雑な材料強度の設定や寸法調整が不要であり、しかも、解除補助手段を設けたことにより、カーテンシールドエアバッグを被覆する天井内張り材を確実に保持すると共にエアバッグ袋体のスムーズな展開性能を確保するという互いに相反する要求を共に満足することができる。
【００１８】
さらに詳述すると、請求項１記載のカーテンシールドエアバッグ取付構造では、エアバッグ袋体の展開時には、このエアバッグ袋体の膨張に伴って金属クリップと掛止め爪との嵌合が外れて天井内張り材の保持を解除して、天井内張り材の開放移動が可能になる。さらに、エアバッグ袋体の膨張によって天井内張り材が車室内側へ大きく押し開かれ開放移動されながら、エアバッグ袋体が車室内に展開する。
【００１９】
ここで、通常は天井内張り材を所定位置に保持固定する金属クリップと掛止め爪とは、エアバッグ袋体の展開時にはこれに伴って天井内張り材の保持を解除するが、この際には、これに加えて、エアバッグ袋体の膨張によって抜去布が引張られ、掛止め爪が金属クリップから抜け出すように補助的に力を付与する。すなわち、抜去布が引張られることにより、金属クリップと掛止め爪による天井内張り材の保持の解除力が強制的に補充される。
【００２０】
すなわち、エアバッグ袋体の展開時には、抜去布によって、金属クリップと掛止め爪による保持解除動作が補助されて、天井内張り材の開放移動が容易になる。したがって、結果的にエアバッグ袋体がスムーズに展開する。
【００２１】
このように、請求項１記載のカーテンシールドエアバッグ取付構造では、各取付部品の煩雑な材料強度の設定や寸法調整が不要であり、しかも、抜去布を設けたことにより、カーテンシールドエアバッグを被覆する天井内張り材を確実に保持すると共にエアバッグ袋体のスムーズな展開性能を確保するという互いに相反する要求を共に満足することができる。
【００２２】
しかも、単に、仮止め手段として金属クリップと掛止め爪とを有する構成とすると共に、解除補助手段として抜去布を適用した構成であるため、簡単な構造により実現可能である。
【発明の効果】
【００２３】
請求項１に係る発明のカーテンシールドエアバッグ取付構造は、各取付部品の煩雑な材料強度の設定や寸法調整が不要であり、しかも、カーテンシールドエアバッグを被覆する天井内張り材を確実に保持すると共にエアバッグ袋体のスムーズな展開性能を確保するという互いに相反する要求を共に満足することができるという優れた効果を有している。
【００２４】
さらに、簡単な構造により実現可能であるという優れた効果を有している。
【発明を実施するための最良の形態】
【００２５】
以下、図１乃至図４を用いて、本発明の実施形態について説明する。なお、各図において、矢印Ｘ方向が車両室内側であり、矢印Ｙ方向が車両室外側である。
【００２６】
図１には、本発明の実施形態に係るカーテンシールドエアバッグ取付構造が適用されて構成されたカーテンシールドエアバッグ１０の構成が断面図にて示されている。    
【００２７】
カーテンシールドエアバッグ１０は、車両の室内上側部分に設けられたルーフサイドレール１２の車両室内側近傍に配置されており、エアバッグ袋体１４が展開可能に設けられている。一方、ルーフサイドレール１２の車両室外側下端縁には、オーニングトリム１６が取り付けられている。
【００２８】
また、ルーフサイドレール１２の下方には、天井内張り材１８が配置されている。天井内張り材１８の車両外側先端部は、オーニングトリム１６の下端縁に重なり合うように設けられており、これによりカーテンシールドエアバッグ１０を被覆している。さらに、天井内張り材１８は、車両室内側の先端部分を支点として車両外側先端部分が下方へ（重なり合うように設けられたオーニングトリム１６の下端縁から離間する方向へ）開放移動可能であり、開放移動することでエアバッグ袋体１４の展開を可能にする構成となっている。
【００２９】
また、天井内張り材１８の内方（裏面側）には、仮止め手段を構成する掛止め爪２０が取り付けられている。この掛止め爪２０は樹脂製とされており、天井内張り材１８の裏面側から上方へ向けて立設されており、仮止め手段を構成する金属クリップ２２に対応している。
【００３０】
金属クリップ２２は、主要部分が断面視逆Ｖ字形に形成されており、オーニングトリム１６が取り付けられたルーフサイドレール１２の下端縁に固定されている。すなわち、この金属クリップ２２に掛止め爪２０が嵌合係止することで、通常は天井内張り材１８が所定位置（カーテンシールドエアバッグ１０を被覆する位置）に保持されており、しかも、カーテンシールドエアバッグ１０の作動時にはエアバッグ袋体１４の膨張に伴って金属クリップ２２から掛止め爪２０が抜け出されて天井内張り材１８の保持を解除する構成である。
【００３１】
さらに、金属クリップ２２には、解除補助手段としての抜去布２４が設けられている。抜去布２４は、その車両室外側先端部分に設けられた係止開口が、金属クリップ２２から突設された係止突起２６に引っ掛けられて保持されており、さらに、先端部分近傍が折り返された後に金属クリップ２２と掛止め爪２０の嵌合間に巻き込まれて設けられている。すなわち、抜去布２４を介在させた状態で掛止め爪２０が金属クリップ２２内に嵌合した構成となっている。また、抜去布２４の他端部は、カーテンシールドエアバッグ１０のエアバッグ袋体１４に連結接続されている。したがって、エアバッグ袋体１４が膨張する際には、このエアバッグ袋体１４の膨張によって抜去布２４が引張られ、この抜去布２４の張力によって、掛止め爪２０が金属クリップ２２から抜け出すように補助的に力を付与する（すなわち、金属クリップ２２と掛止め爪２０とによる天井内張り材１８の保持の解除を補助する）構成となっている。なおこの際には、係止突起２６に引っ掛けられた抜去布２４の先端部分は、他に影響なく破断して外れるように設定されている。
【００３２】
以下に、本実施形態の作用並びに効果について説明する。
【００３３】
上記構成のカーテンシールドエアバッグ１０及びその取付構造においては、通常は、エアバッグ袋体１４は車両室内上側面に展開可能に収納されると共に天井内張り材１８によって被覆されており、さらに、この天井内張り材１８は、掛止め爪２０が金属クリップ２２に嵌合係止することで所定位置に保持されている（図１図示状態）。
【００３４】
エアバッグ袋体１４の展開時には、このエアバッグ袋体１４の膨張に伴って金属クリップ２２と掛止め爪２０との嵌合が外れて天井内張り材１８の保持を解除して、天井内張り材１８の開放移動が可能になる。さらに、エアバッグ袋体１４の膨張によって天井内張り材１８が車両室内側へ大きく押し開かれ開放移動されながら、エアバッグ袋体１４が車両室内に展開する。
【００３５】
さらにここで、このカーテンシールドエアバッグ１０では、通常は天井内張り材１８を所定位置に保持固定する金属クリップ２２と掛止め爪２０は、エアバッグ袋体１４の展開時にはこれに伴って掛止め爪２０が金属クリップ２２から抜け出すことで天井内張り材１８の保持を解除するが、この際（展開初期）にはこれに加えて、図２に示す如く、エアバッグ袋体１４の膨張によって抜去布２４が矢印Ａ方向へ引張られる。このため、抜去布２４の張力によって掛止め爪２０を押し下げる力が生じ、掛止め爪２０が金属クリップから抜け出すように矢印Ｂ方向へ補助的に力が付与される。すなわち、抜去布２４が引張られることにより、金属クリップ２２と掛止め爪２０による天井内張り材１８の保持の解除力が強制的に補充されて、掛止め爪２０が金属クリップ２２から抜け出す。
【００３６】
エアバッグ袋体１４の展開中期には、図３に示す如く、エアバッグ袋体１４の展開が進行しながら、係止突起２６に引っ掛けられた抜去布２４の先端部分が破断して外れる。
【００３７】
さらに、エアバッグ袋体１４の展開が完了する時点では、図４に示す如く、掛止め爪２０は天井内張り材１８と共に金属クリップ２２から大きく離間して、エアバッグ袋体１４はスムーズに展開が完了する。
【００３８】
このように、エアバッグ袋体１４の展開に際しては、その初期段階において、抜去布２４によって、金属クリップ２２と掛止め爪２０による保持解除動作が補助されて、天井内張り材１８の開放移動が容易になる。したがって、結果的にエアバッグ袋体１４がスムーズに展開する。
【００３９】
すなわち、仮止め手段としての金属クリップ２２及び掛止め爪２０には、通常時には天井内張り材１８を所定位置に確実に保持固定する大きな保持力（所謂「抜け難さ」）が求められ、しかも、エアバッグ袋体１４の展開時には速やかな保持解除性（所謂「抜け易さ」）が求められるが、この金属クリップ２２及び掛止め爪２０（仮止め手段）を、通常時に天井内張り材１８を確実に保持固定するように大きな保持力に（所謂「抜け難く」）設定しても、エアバッグ袋体１４の展開時には抜去布２４（解除補助手段）の作動によって掛止め爪２０が金属クリップ２２から抜け出すように補助的に力を付与され（所謂「抜け易さ」が向上し）、速やかに保持解除が行われる。したがって、天井内張り材１８の開放移動が容易になって、エアバッグ袋体１４のスムーズな展開性を確保することができる。
【００４０】
このように、本実施形態に係るカーテンシールドエアバッグ１０及びその取付構造では、各取付部品の煩雑な材料強度の設定や寸法調整が不要であり、しかも、抜去布２４を設けたことにより、カーテンシールドエアバッグ１０を被覆する天井内張り材１８を確実に保持すると共にエアバッグ袋体１４のスムーズな展開性能を確保するという互いに相反する要求を共に満足することができる。
【００４１】
しかも、単に、仮止め手段として金属クリップ２２と掛止め爪２０とを有する構成とすると共に、解除補助手段として抜去布２４を適用した構成であるため、簡単な構造により実現可能である。
【００４２】
なお、前述した実施形態においては、解除補助手段として抜去布２４を設けた構成として説明したが、解除補助手段としてはこれに限るものではなく、他の同等部材、例えば「糸」や「紐」あるいは「ベルト」等によって解除補助手段を構成してもよい。この場合であっても、前記実施形態における抜去布２４と同様の作用効果を得ることができる。
【図面の簡単な説明】
【００４３】
【図１】本発明の実施形態に係るカーテンシールドエアバッグ及びその取付構造の構成を示し、通常時における断面図である。
【図２】本発明の実施形態に係るカーテンシールドエアバッグ及びその取付構造の構成を示し、エアバッグ袋体の展開初期における断面図である。
【図３】本発明の実施形態に係るカーテンシールドエアバッグ及びその取付構造の構成を示し、エアバッグ袋体の展開中期における断面図である。
【図４】本発明の実施形態に係るカーテンシールドエアバッグ及びその取付構造の構成を示し、エアバッグ袋体の展開完了時における断面図である。
【符号の説明】
【００４４】
１０    カーテンシールドエアバッグ
１４    エアバッグ袋体
１８    天井内張り材
２０    掛止め爪（仮止め手段）
２２    金属クリップ（仮止め手段）
２４    抜去布（解除補助手段）
２６    係止突起  
【図１】
0004623100.tif 000002
【図２】
0004623100.tif 000003
【図３】
0004623100.tif 000004
【図４】
0004623100.tif 000005